(57)【要約】【課題】車載用バッテリーに接続される放電灯点灯装置の回路パターン上のグランドラインと金属製筐体とが導通性のある部品を介して確実にグランド接続されていることを確認する手段を提供する。【解決手段】車載用バッテリーよりなる直流電源Ｅと、その電圧を昇降圧させるＤＣ−ＤＣコンバータ５と、昇降圧された直流電圧を矩形波電圧に変換するＤＣ−ＡＣコンバータ６と、始動時に放電灯８をブレイクダウンさせるための高電圧パルスを発生させるイグナイタ部７とから構成される放電灯点灯装置において、直流電源Ｅに接続される回路グランドと放電灯点灯装置の金属製筐体１とが電気的に接続されているか否かを判定する検出回路２ａを金属製筐体１に内蔵した。【選択図】        図１
2004319142.tif 000002
【特許請求の範囲】
【請求項１】
車載用バッテリーよりなる直流電源と、この直流電源の電圧を昇降圧させるＤＣ−ＤＣコンバータと、昇降圧された直流電圧を矩形波電圧に変換するＤＣ−ＡＣコンバータと、始動時に放電灯をブレイクダウンさせるための高電圧パルスを発生させるイグナイタ部とから構成される放電灯点灯装置であって、少なくとも前記ＤＣ−ＤＣコンバータとＤＣ−ＡＣコンバータが金属製筐体に収納されており、前記直流電源に接続される回路グランドと放電灯点灯装置の金属製筐体とが電気的に接続されているか否かを判定する検出回路を前記金属製筐体に内蔵したことを特徴とする放電灯点灯装置。
【請求項２】
前記ＤＣ−ＡＣコンバータのＡＣ出力回路部において、車載用バッテリーに接続されていない第２のグランドラインを備え、この第２のグランドラインと放電灯点灯装置の金属製筐体とが電気的に接続されているか否かを判定する第２の検出回路を前記金属製筐体に内蔵したことを特徴とする請求項１記載の放電灯点灯装置。
【請求項３】
前記ＤＣ−ＤＣコンバータのＤＣ出力端のグランドラインと放電灯点灯装置の金属製筐体とが電気的に接続されているか否かを判定する第３の検出回路を前記金属製筐体に内蔵したことを特徴とする請求項１又は２のいずれかに記載の放電灯点灯装置。
【請求項４】
前記検出回路が電気的接続の有無を判定するタイミングはＤＣ−ＤＣコンバータが動作を開始する前であることを特徴とする請求項１〜３のいずれかに記載の放電灯点灯装置。
【請求項５】
前記検出回路は、金属製筐体の外部からの信号により動作状態と不動作状態のいずれかに設定されることを特徴とする請求項１〜４のいずれかに記載の放電灯点灯装置。
【発明の詳細な説明】
【０００１】
【発明の属する技術分野】
本発明は、車両の前照灯等として用いられる放電灯を車載用バッテリーを電源として点灯させる車両用放電灯点灯装置に関するものである。
【０００２】
【従来の技術】
【特許文献１】
特開２０００−２６８９８５号公報
【０００３】
従来の車両用放電灯点灯装置の構成を図９に示す。１は金属製筐体であり、内部にＤＣ／ＤＣコンバータ５とＤＣ／ＡＣコンバータ６及びイグナイタ部７を備えている。ＤＣ／ＤＣコンバータ５はコネクタ９を介して車載用バッテリーよりなる直流電源に接続され、直流電圧変換を行なう。ＤＣ／ＡＣコンバータ６は電圧変換された直流電圧を矩形波交流電圧に変換して出力する。イグナイタ部７は始動時に放電灯８に高電圧パルスを印加する。放電灯８はＨＩＤバルブである。ＤＣ／ＤＣコンバータ５は高周波でオン・オフするスイッチング素子を備えており、その回路動作時には高周波ノイズを発生する。ＤＣ／ＤＣコンバータ５の入力部には、高周波ノイズが直流電源Ｅに帰還しないように、フィルタ回路（図示せず）が設けられている。
【０００４】
この点灯装置では、回路動作時に発生する不要輻射ノイズを低減させる手段の一つとして、車載用バッテリーに接続される放電灯点灯装置の回路パターン上のグランドラインと金属製筐体とを電気的に接続して、回路電位の安定化をはかり、発生する不要輻射ノイズを抑制する。回路パターン上のグランドラインと金属製筐体とを接続する方法としては、接続点３において、ネジなど導通性のある部品を介して接続する方法を採る。このネジなどの導通性のある部品を介して接続される回路パターン上のグランドラインと金属製筐体において、充分にグランド接続されていなければ、不要なインピーダンス成分が発生して電位の安定化がはかれず、回路動作時に発生する不要輻射ノイズの増大につながる。
【０００５】
そこで、放電灯点灯装置を製造ラインにて生産する際に、その生産工程上において回路パターン上のグランドラインと金属製筐体とを接続する、ネジなどの導通性のある部品が充分に接続されているか否かを確認するために、目視によりネジ接続の有無を確認したり、その間のインピーダンス（抵抗値）を測定して、グランド接続されていることを確認している。また、ネジなどの導通性のある部品を介してグランド接続される箇所が１箇所以上ある場合、全ての箇所において目視によるネジ接続有無の確認及びその間のインピーダンス測定を実施する。これにより生産工程における確認工数が追加となり、１台当たりの生産時間が増加して商品加工費が高くなる。
【０００６】
【発明が解決しようとする課題】
上述のように、従来の車両用放電灯点灯装置は、車載用バッテリーに接続される放電灯点灯装置の回路パターン上のグランドラインと金属製筐体とをネジなどの導通性のある部品を介してグランド接続する際に、その導通性のある部品により回路パターン上のグランドラインと金属製筐体とが確実にグランド接続されていることを確認するために、生産工程にて目視によるネジ接続有無の確認及びその間のインピーダンス（抵抗値）測定を実施している。しかし、これにより放電灯点灯装置１台当たりの生産時間が増加して、商品加工費が高くなり、さらに専用の設備、治具などの設備投資が必要となる。
【０００７】
本発明はこのような点に鑑みてなされたものであり、車載用バッテリーに接続される放電灯点灯装置の回路パターン上のグランドラインと金属製筐体とが導通性のある部品を介して確実にグランド接続されていることを確認する手段を提供することにより、生産工程において、目視確認及びインピーダンス測定を廃止して確認工数を減らし、また新たな設備、治具などの投資コストを削減することを課題とする。
【０００８】
【課題を解決するための手段】
本発明にあっては、上記の課題を解決するために、放電灯点灯装置の内部回路により回路パターン上のグランドラインと金属製筐体とが確実にグランド接続されていることを検出して確認できるようにするものである。
請求項１の放電灯点灯装置にあっては、図１に示すように、車載用バッテリーよりなる直流電源Ｅと、この直流電源Ｅの電圧を昇降圧させるＤＣ−ＤＣコンバータ５と、昇降圧された直流電圧を矩形波電圧に変換するＤＣ−ＡＣコンバータ６と、始動時に放電灯８をブレイクダウンさせるための高電圧パルスを発生させるイグナイタ部７とから構成される放電灯点灯装置であって、少なくとも前記ＤＣ−ＤＣコンバータ５とＤＣ−ＡＣコンバータ６が金属製筐体１に収納されており、前記直流電源Ｅに接続される回路グランドと放電灯点灯装置の金属製筐体１とが電気的に接続されているか否かを判定する検出回路２ａを前記金属製筐体１に内蔵したことを特徴とするものである。
【０００９】
請求項２の発明は、請求項１において、前記ＤＣ−ＡＣコンバータのＡＣ出力回路部において、車載用バッテリーに接続されていない第２のグランドラインを備え、この第２のグランドラインと放電灯点灯装置の金属製筐体とが電気的に接続されているか否かを判定する第２の検出回路を前記金属製筐体に内蔵したことを特徴とする。
請求項３の発明は、請求項１又は２のいずれかにおいて、前記ＤＣ−ＤＣコンバータのＤＣ出力端のグランドラインと放電灯点灯装置の金属製筐体とが電気的に接続されているか否かを判定する第３の検出回路を前記金属製筐体に内蔵したことを特徴とする。
請求項４の発明は、請求項１〜３のいずれかにおいて、前記検出回路が電気的接続の有無を判定するタイミングはＤＣ−ＤＣコンバータが動作を開始する前であることを特徴とする。
請求項５の発明は、請求項１〜４のいずれかにおいて、前記検出回路は、金属製筐体の外部からの信号により動作状態と不動作状態のいずれかに設定されることを特徴とする。
【００１０】
【発明の実施の形態】
（実施の形態１）
本発明の第１の実施の形態を図１に示す。この実施の形態では、その回路入力部のグランドライン（実装グランドパターン）と放電灯点灯装置の金属製筐体１とがネジなどの導通性のある部品を介して接続され  その間の電気的接続が確実にされているか否かを内部に備えた検出回路２ａにて検出する。その検出回路２ａは図１に示すような構成となる。ある一定の直流電源Ｅ１を、車載用バッテリーに接続される放電灯点灯装置の回路パターン上のグランドラインにつながる直列に接続された、２つ以上の抵抗Ｒａ，Ｒｂ間に供給可能とする。そして、抵抗Ｒａ，Ｒｂの接続点を放電灯点灯装置の金属製筐体１とネジなどを介して接続される接続点３ａ及びコンパレータ４ａ（比較器）の入力部に接続する。
【００１１】
コンパレータ４ａに入力される電圧値Ｖｂと閾値Ｖｒｅｆ１とを比較することにより、回路入力部のグランドラインと放電灯点灯装置の金属製筐体１とが導通性のある部品を介して接続されているか否かの検出を行う。回路入力部のグランドラインと放電灯点灯装置の金属製筐体１とが導通性のある部品を介して接続されている場合、ある一定の直流電源Ｅ１を２つ以上の抵抗Ｒａ，Ｒｂにより分圧した電圧値Ｖｂは、抵抗Ｒｂの両端間がグランドとなり、０Ｖとなる。逆に、回路入力部のグランドラインと放電灯点灯装置の金属製筐体１とがネジなどの導通性のある部品を介して接続されていない場合、直流電源Ｅ１を２つ以上の抵抗Ｒａ，Ｒｂにより分圧した値ＶｂはＥ１×Ｒｂ／（Ｒａ＋Ｒｂ）となる。コンパレータ４ａの入力部には、それぞれの場合の電圧値Ｖｂが入力されることになり、その値を識別可能とする閾値Ｖｒｅｆ１を設定する。Ｖｒｅｆ１の値はＶｂ＝Ｅ１×Ｒｂ／（Ｒａ＋Ｒｂ）＞Ｖｒｅｆ１＞０Ｖと設定する。
【００１２】
コンパレータ４ａの入力部にＶｂ＝０Ｖが入力された場合、回路入力部のグランドラインと放電灯点灯装置の金属製筐体１とが導通性のある部品を介して接続された正常状態であると判定されて、図２に示すように、コンパレータ４ａよりＬＯ信号が出力されて、ＤＣ−ＤＣコンバータ５、ＤＣ−ＡＣコンバータ６を動作させ、最終的にイグナイタ部７により高圧パルスを発生させて放電灯８を点灯させる。また、コンパレータ４ａの入力部にＶｂ＝Ｅ１×Ｒｂ／（Ｒａ＋Ｒｂ）が入力された場合、回路入力部のグランドラインと放電灯点灯装置の金属製筐体１とが導通性のある部品を介して接続されていない異常状態であると判定されて、コンパレータ４ａよりＨＩ信号が出力されて、ＤＣ−ＤＣコンバータ５の動作への移行を停止させる。この場合、再度、回路入力部のグランドラインと放電灯点灯装置の金属製筐体１とを導通性のある部品を介して確実に接続させた状態で電源再投入することにより、ＤＣ−ＤＣコンバータ５、ＤＣ−ＡＣコンバータ６を動作させて最終的にイグナイタ部７により高圧パルスを発生させ、放電灯８を点灯させる。
【００１３】
（実施の形態２）
本発明の第２の実施の形態を図３に示す。この放電灯点灯装置は、ＤＣ／ＤＣコンバータ５により昇降圧された直流電圧を矩形波電圧に変換するＤＣ−ＡＣコンバータ６のＡＣ出力回路部にて、グランドラインＧＮＤ２と金属製筐体１が接続されているか否かを内部に備えた検出回路２ｂにて検出し、グランドラインＧＮＤ２と金属製筐体１とのグランド接続の有無の確認を行う。本実施の形態では、ＤＣ−ＡＣコンバータ６のＡＣ出力回路部は、２個のコンデンサを直列接続してなる分圧コンデンサを備え、ＤＣ／ＡＣコンバータ６のＡＣ出力を分圧コンデンサに印加し、その分圧コンデンサの中点がグランドラインＧＮＤ２となっている。放電灯点灯装置のグランドラインＧＮＤ２と金属製筐体１とは、ネジなどの導通性のある部品を介して接続される。３ｂはその接続点である。
【００１４】
検出回路２ｂでは、直列に接続される２つ以上の抵抗Ｒｃ，Ｒｄにある一定の直流電源Ｅ３を供給可能とし、抵抗Ｒｃ，Ｒｄの接続点をコンパレータ４ｂ（比較器）の入力部に接続する。また、放電灯点灯装置のグランドラインＧＮＤ２と金属製筐体１とを導通性のある部品を介して接続する接続点３ｂにも接続する。コンパレータ４ｂに入力される電圧値Ｖｄと閾値Ｖｒｅｆ２とを比較することにより、ＡＣ出力回路部のグランドラインＧＮＤ２と放電灯点灯装置の金属製筐体１とが導通性のある部品を介して接続されているか否かの検出を行う。ＡＣ出力回路部のグランドラインＧＮＤ２と放電灯点灯装置の金属製筐体１とが接続されている場合、ある一定の直流電源Ｅ３を２つ以上の抵抗Ｒｃ，Ｒｄにより分圧した電圧値Ｖｄは、抵抗Ｒｄ間がグランドとなり、０Ｖとなる。逆に、ＡＣ出力回路部のグランドラインＧＮＤ２と放電灯点灯装置の金属製筐体１とが接続されていない場合、直流電源Ｅ３を２つ以上の抵抗Ｒｃ，Ｒｄにより分圧した電圧値ＶｄはＥ３×Ｒｄ／（Ｒｃ＋Ｒｄ）となる。コンパレータ４ｂの入力部には、それぞれの場合の電圧値Ｖｄが入力されることになり、その値を識別可能とする閾値Ｖｒｅｆ２を設定する。
【００１５】
コンパレータ４ｂの入力部にＶｄ＝０Ｖが入力された場合、ＡＣ出力回路部のグランドラインＧＮＤ２と放電灯点灯装置の金属製筐体１とが導通性のある部品を介して接続された正常状態であると判定されて、図４に示すように、コンパレータ４ｂよりＬＯ信号が出力されて、ＤＣ−ＤＣコンバータ５、ＤＣ−ＡＣコンバータ６を動作させて最終的にイグナイタ部７により、高圧パルスを発生させて放電灯８を点灯させる。また、コンパレータ４ｂの入力部にＶｄ＝Ｅ３×Ｒｄ／（Ｒｃ＋Ｒｄ）が入力された場合、ＡＣ出力回路部のグランドラインＧＮＤ２と放電灯点灯装置の金属製筐体１とが導通性のある部品を介して接続されていない異常状態であると判定されて、コンパレータ４ｂよりＨＩ信号が出力されて、ＤＣ−ＤＣコンバータ５の動作への移行を停止させる。この場合、再度、ＡＣ出力回路部のグランドラインＧＮＤ２と放電灯点灯装置の金属製筐体１とを導通性のある部品を介して確実に接続させた状態で電源再投入することにより、ＤＣ−ＤＣコンバータ５、ＤＣ−ＡＣコンバータ６を動作させて最終的にイグナイタ部７により、高圧パルスを発生させて放電灯８を点灯させる。
【００１６】
（実施の形態３）
本発明の第３の実施の形態を図５に示す。本実施の形態では、実施の形態１に示す回路入力部に加えて、それ以外の複数のグランドライン（実装グランドパターン）と放電灯点灯装置の金属製筐体１とが導通性のある部品を介して接続され、その間のグランド接続が確実にされているか否かをそれぞれ内部に備えた検出回路２ａ、２ｃにて判定する。それぞれの検出回路は図５に示すような構成となる。
【００１７】
まず、検出回路２ａでは、ある一定の直流電源Ｅ１を、車載用バッテリーに接続される放電灯点灯装置の回路パターン上のグランドライン（ここではＤＣ／ＤＣコンバータ５の入力側のグランドライン）につながる直列に接続された、２つ以上の抵抗Ｒａ，Ｒｂ間に供給可能とする。ある一定の直流電源Ｅ１を、直列に接続された２つ以上の抵抗Ｒａ，Ｒｂにて分圧して、抵抗Ｒａ，Ｒｂの接続点を、放電灯点灯装置の金属製筐体１とネジなどを介して接続される接続点３ａ及びコンパレータ４ａ（比較器）の入力部に接続する。
【００１８】
コンパレータ４ａに入力される電圧値と閾値とを比較することにより、回路入力部のグランドラインと放電灯点灯装置の金属製筐体１とが導通性のある部品を介して接続されているか否かの検出を行う。回路入力部のグランドラインと放電灯点灯装置の金属製筐体１とが導通性のある部品を介して接続されている場合、ある一定の直流電源Ｅ１を２つ以上の抵抗Ｒａ，Ｒｂにより分圧した電圧値Ｖｂは、抵抗Ｒｂの両端間がグランドとなり、０Ｖとなる。逆に、回路入力部のグランドラインと放電灯点灯装置の金属製筐体１とがネジなどの導通性のある部品を介して接続されていない場合、直流電源Ｅ１を２つ以上の抵抗Ｒａ，Ｒｂにより分圧した値ＶｂはＥ１×Ｒｂ／（Ｒａ＋Ｒｂ）となる。コンパレータ４ａの入力部には、それぞれの場合の電圧値Ｖｂが入力されることになり、その値を識別可能とする閾値Ｖｒｅｆ１を設定する。Ｖｒｅｆ１の値はＶｂ＝Ｅ１×Ｒｂ／（Ｒａ＋Ｒｂ）＞Ｖｒｅｆ１＞０Ｖと設定する。
【００１９】
また、検出回路２ｃでは、ある一定の直流電源Ｅ５を、車載用バッテリーに接続される放電灯点灯装置の回路パターン上のグランドライン（ここではＤＣ／ＤＣコンバータ５の出力側のグランドライン）につながる直列に接続された、２つ以上の抵抗Ｒｅ，Ｒｆ間に供給可能とする。そして、抵抗Ｒｅ，Ｒｆの接続点を、放電灯点灯装置の金属製筐体１とネジなどを介して接続される接続点３ｃ及びコンパレータ４ｃ（比較器）の入力部に接続する。
【００２０】
コンパレータ４ｃに入力される電圧値Ｖｆと閾値Ｖｒｅｆ３とを比較することにより、回路入力部のグランドラインと放電灯点灯装置の金属製筐体１とが導通性のある部品を介して接続されているか否かの検出を行う。回路入力部のグランドラインと放電灯点灯装置の金属製筐体１とが導通性のある部品を介して接続されている場合、ある一定の直流電源Ｅ５を２つ以上の抵抗Ｒｅ，Ｒｆにより分圧した電圧値Ｖｆは、抵抗Ｒｆの両端間がグランドとなり、０Ｖとなる。逆に、回路入力部のグランドラインと放電灯点灯装置の金属製筐体１とがネジなどの導通性のある部品を介して接続されていない場合、直流電源Ｅ５を２つ以上の抵抗Ｒｅ，Ｒｆにより分圧した値ＶｆはＥ５×Ｒｆ／（Ｒｅ＋Ｒｆ）となる。コンパレータ４ｃの入力部には、それぞれの場合の電圧値Ｖｆが入力されることになり、その値を識別可能とする閾値Ｖｒｅｆ３を設定する。Ｖｒｅｆ３の値はＶｆ＝Ｅ５×Ｒｆ／（Ｒｅ＋Ｒｆ）＞Ｖｒｅｆ３＞０Ｖと設定する。
【００２１】
コンパレータ４ａの入力部にＶｂ＝０Ｖが入力され、且つコンパレータ４ｃの入力部にＶｆ＝０Ｖが入力された場合、回路入力部のグランドラインと放電灯点灯装置の金属製筐体１とが導通性のある部品を介して接続された正常状態であると判定されて、図６に示すように、コンパレータ４ａ、４ｃより共にＬＯ信号が出力されて、ＤＣ−ＤＣコンバータ５、ＤＣ−ＡＣコンバータ６を動作させ、最終的にイグナイタ部７により高圧パルスを発生させて放電灯８を点灯させる。また、コンパレータ４ａの入力部にＶｂ＝Ｅ１×Ｒｂ／（Ｒａ＋Ｒｂ）が入力された場合、あるいは、コンパレータ４ｃの入力部にＶｆ＝Ｅ５×Ｒｆ／（Ｒｅ＋Ｒｆ）が入力された場合、それぞれのグランドラインと放電灯点灯装置の金属製筐体１とが導通性のある部品を介して接続されていない異常状態であると判定されて、コンパレータ４ａまたはコンパレータ４ｃよりＨＩ信号が出力されて、ＤＣ−ＤＣコンバータ５の動作への移行を停止させる。この場合、Ｖｂ、Ｖｆがともに０Ｖになるように各々の接続点におけるグランドラインと放電灯点灯装置の金属製筐体１とを確実に接続させて、電源再投入することにより、ＤＣ−ＤＣコンバータ５、ＤＣ−ＡＣコンバータ６を動作させて最終的にイグナイタ部７により高圧パルスを発生させ、放電灯８を点灯させる。
【００２２】
（実施の形態４）
本発明の第４の実施の形態を図７に示す。本実施の形態では、上述の実施の形態１、２、３に示したように、回路グランドラインと放電灯点灯装置の金属製筐体１の間の接続が確実にされているか否かを判定する内部検出回路に加えて、その検出結果によりＤＣ−ＤＣコンバータ５、ＤＣ−ＡＣコンバータ６を動作させるか否かを制御する制御回路１０の電源を放電灯点灯装置の外部から供給するように構成したものである。その構成を実施の形態１に適用した例を図７に示し説明する。
【００２３】
検出回路２ａでは、ある一定の直流電源Ｅ１を、車載用バッテリーに接続される放電灯点灯装置の回路パターン上のグランドラインにつながる直列に接続された、２つ以上の抵抗Ｒａ，Ｒｂに供給可能とする。ある一定の直流電源Ｅ１を、直列に接続された２つ以上の抵抗Ｒａ，Ｒｂにて分圧して、抵抗Ｒａ，Ｒｂの接続点を放電灯点灯装置の金属製筐体１とネジなどを介して接続される接続点３ａ及びコンパレータ４ａ（比較器）の入力部に接続する。
【００２４】
コンパレータ４ａに入力される電圧値Ｖｂと閾値Ｖｒｅｆ１とを比較することにより、回路入力部のグランドラインと放電灯点灯装置の金属製筐体１とが導通性のある部品を介して接続されているか否かの検出を行う。回路入力部のグランドラインと放電灯点灯装置の金属製筐体１とが導通性のある部品を介して接続されている場合、ある一定の直流電源Ｅ１を２つ以上の抵抗Ｒａ，Ｒｂにより分圧した電圧値Ｖｂは、抵抗Ｒｂの両端間がグランドとなり、０Ｖとなる。逆に、回路入力部のグランドラインと放電灯点灯装置の金属製筐体１とがネジなどの導通性のある部品を介して接続されていない場合、直流電源Ｅ１を２つ以上の抵抗Ｒａ，Ｒｂにより分圧した値ＶｂはＥ１×Ｒｂ／（Ｒａ＋Ｒｂ）となる。コンパレータ４ａの入力部には、それぞれの場合の電圧値Ｖｂが入力されることになり、その値を識別可能とする閾値Ｖｒｅｆ１を設定する。Ｖｒｅｆ１の値はＶｂ＝Ｅ１×Ｒｂ／（Ｒａ＋Ｒｂ）＞Ｖｒｅｆ１＞０Ｖと設定する。本実施の形態の動作波形図を図８に示す。
【００２５】
また、コンパレータ４ａの出力信号（ＨＩ信号またはＬＯ信号）によりＤＣ−ＤＣコンバータ５、ＤＣ−ＡＣコンバータ６の動作／不動作を制御する制御回路１０の電源は放電灯点灯装置の外部に設けた電源Ｅｏｕｔより供給する。ここで述べる外部とは、生産工程設備上の電源装置であり、生産工程での検査時にのみ電源Ｅｏｕｔを供給して制御回路１０を動作させて、コンパレータ４ａからの出力信号に反応する。生産工程での検査後、商品が完成品となった状態では、外部からの電源Ｅｏｕｔが供給されず、制御回路１０は不動作となる。その他の動作については実施の形態１と同様である。
【００２６】
【発明の効果】
本発明によれば、車載用バッテリーに接続される放電灯点灯装置の回路パターン上のグランドラインと金属製筐体とがネジなどの導通性のある部品を介して確実に接続されていることを放電灯点灯装置の内部に備えた検出回路により確認、判定することにより、従来の生産工程において実施していた目視によるネジ接続有無の確認やインピーダンス測定の工程を廃止でき、また、新たな設備、治具の投資をせずに済むことになる。これにより放電灯点灯装置１台あたりの生産時間が短縮されて、商品加工費の低減化を図ることが可能となる効果がある。
【図面の簡単な説明】
【図１】本発明の実施の形態１の構成を示すブロック回路図である。
【図２】本発明の実施の形態１の動作波形図である。
【図３】本発明の実施の形態２の構成を示すブロック回路図である。
【図４】本発明の実施の形態２の動作波形図である。
【図５】本発明の実施の形態３の構成を示すブロック回路図である。
【図６】本発明の実施の形態３の動作波形図である。
【図７】本発明の実施の形態４の構成を示すブロック回路図である。
【図８】本発明の実施の形態４の動作波形図である。
【図９】従来例の構成を示すブロック回路図である。
【符号の説明】
１    金属製筐体
２ａ  検出回路
３ａ  接続点
４ａ  コンパレータ
５    ＤＣ／ＤＣコンバータ
６    ＤＣ／ＡＣコンバータ
７    イグナイタ部
８    放電灯（ＨＩＤバルブ）
【図１】
2004319142.tif 000003
【図２】
2004319142.tif 000004
【図３】
2004319142.tif 000005
【図４】
2004319142.tif 000006
【図５】
2004319142.tif 000007
【図６】
2004319142.tif 000008
【図７】
2004319142.tif 000009
【図８】
2004319142.tif 000010
【図９】
2004319142.tif 000011